(57)【要約】【課題】  土木又は建築工事の検査に必要なノウハウを検査員に習得させることができる教育支援装置及び教育支援プログラムを提供する。【解決手段】  教育支援装置（１）は、インターネットを介してアクセスする利用者に工事の検査に関する問題の演習を行わせる装置であり、問題及びその正解を格納するデータ格納部（１２）と、予め定めた基準に基づいて、利用者の認証を取る認証部（１３）と、認証が取れたとき、利用者側へ問題を送信する問題提示部（１５）と、利用者側から送信された解答の正誤を判定し、その判定結果を利用者側へ送信する解答判定部（１６）とを具備する。【選択図】  図２
2006227463.tif 000002
【特許請求の範囲】
【請求項１】
ネットワークを介してアクセスする利用者に工事の検査に関する問題の演習を行わせる教育支援装置であって、
前記問題及びその正解を格納するデータ格納部と、
予め定めた基準に基づいて、前記利用者の認証を取る認証部と、
認証が取れたとき、前記利用者側へ前記問題を送信する問題提示部と、
前記利用者側から送信された解答の正誤を判定し、その判定結果を前記利用者側へ送信する解答判定部と
を備えたことを特徴とする教育支援装置。
【請求項２】
請求項１記載の教育支援装置において、
前記認証部では、前記利用者の認証の基準とは別の基準に基づいて、前記問題を編集する権限を持つ管理者の認証を取り、
該管理者の認証が取れたとき、該管理者が編集した問題を登録する問題登録部
を更に備えたことを特徴とする教育支援装置。
【請求項３】
請求項１又は２記載の教育支援装置において、前記工事は、電力会社が指揮監督する土木又は建築工事であることを特徴とする教育支援装置。
【請求項４】
コンピュータを、ネットワークを介してアクセスする利用者に工事の検査に関する問題の演習を行わせる教育支援装置として動作させるためのコンピュータプログラムであって、
予め定めた基準に基づいて前記利用者の認証を取るステップと、
認証が取れたとき、前記利用者側へ前記問題を送信するステップと、
前記利用者側から送信された解答の正誤を判定するステップと、
判定結果を前記利用者側へ送信するステップと
を含むことを特徴とする教育支援プログラム。
【請求項５】
請求項４記載の教育支援プログラムにおいて、
前記利用者の認証の基準とは別の基準に基づいて、前記問題を編集する権限を持つ管理者の認証を取るステップと、
認証が取れたとき、前記管理者が編集した問題を登録するステップと
を含むことを特徴とする教育支援プログラム。
【発明の詳細な説明】
【技術分野】
【０００１】
本発明は、工事が設計図書等の基準通りに施工されたかどうかを調べる検査員の教育技術に関する。更に詳細には、検査に必要なノウハウを検査員に習得させる教育技術に関する。
【背景技術】
【０００２】
一般に、発電所や変電所等の電力施設では、電力機器や構造物等の設備の異常の有無及びその内容を調べる点検が定期的又は緊急時に行われており、これらの設備の新規設置又は修繕の際には、土木又は建築工事が所定の基準どおりに施工されたかどうかを調べる検査が行われる。
【０００３】
検査は、設計図書及び工事仕様書等の所定の基準どおりに工事が行われたかどうかを調べるため、検査方法及び判定基準が記載されたチェックシートに従って工事中又は工事完了後に検査員が適宜行う。また、熟練した検査員であれば、チェックシートの記載に従うだけでなく、経験及び知識等のノウハウを活かして的確且つ迅速に検査を行うことができる。
【０００４】
一方、工事の検査員を教育する方法としては、社員育成や能力開発を目的として、教育体制を定めた業務教育要則に基づいて様々な教育を実施している。これに加えて、熟練者による検査に経験の浅い検査員を同行させ、現場及び検査方法を見せることによりノウハウを養わせる方法もある。
【０００５】
下記特許文献１には、利用者の弱点となっている知識を含む基礎問題から順次高度な問題を集中的に提供する教育システムが記載されている。
【０００６】
【特許文献１】特開平６−７５５１８号公報
【発明の開示】
【発明が解決しようとする課題】
【０００７】
しかしながら、工事の検査員の教育においては、上記特許文献に記載された教育システム等のコンピュータを利用した個別学習による方法は採用されておらず、経験の浅い検査員を熟練者に同行させる方法その他の教育方法が定着している。また、検査員を教育する時間を確実に確保するためには、決められた時間に検査員を集めて研修を行い又は検査に同伴させる方法のほかに、パソコン等の情報端末を用いて適宜の時間に各自で予習及び復習を行える環境を整えることが好ましい。
【０００８】
本発明は、上記の事情に鑑み、土木又は建築工事の検査に必要なノウハウを検査員に習得させることができる教育支援装置及び教育支援プログラムを提供することを目的とする。
【課題を解決するための手段】
【０００９】
本発明の教育支援装置は、ネットワークを介してアクセスする利用者に工事の検査に関する問題の演習を行わせる装置であり、前記問題及びその正解を格納するデータ格納部と、予め定めた基準に基づいて、前記利用者の認証を取る認証部と、認証が取れたとき、前記利用者側へ前記問題を送信する問題提示部と、前記利用者側から送信された解答の正誤を判定し、その判定結果を前記利用者側へ送信する解答判定部とを備えたことを特徴とする。
【００１０】
本発明の実施形態では、前記認証部では、前記利用者の認証の基準とは別の基準に基づいて、前記問題を編集する権限を持つ管理者の認証を取り、該管理者の認証が取れたとき、該管理者が編集した問題を登録する問題登録部が更に設けられている。ここで、編集には、問題の作成、修正、及び変更が含まれる。
【００１１】
別の実施形態では、前記工事は、電力会社が指揮監督する土木又は建築工事である。
【００１２】
本発明の教育支援プログラムは、コンピュータを、ネットワークを介してアクセスする利用者に工事の検査に関する問題の演習を行わせる教育支援装置として動作させるためのコンピュータプログラムであり、予め定めた基準に基づいて前記利用者の認証を取るステップと、認証が取れたとき、前記利用者側へ前記問題を送信するステップと、前記利用者側から送信された解答の正誤を判定するステップと、判定結果を前記利用者側へ送信するステップとを含むことを特徴とする。
【００１３】
上記プログラムの実施形態では、前記利用者の認証の基準とは別の基準に基づいて、前記問題を編集する権限を持つ管理者の認証を取るステップと、認証が取れたとき、前記管理者が編集した問題を登録するステップとを含む。
【発明の効果】
【００１４】
本発明によれば、利用者は、工事の検査に関する問題の演習をネットワークを介して行うことができるため、土木又は建築工事の検査に必要なノウハウを一人で簡単に習得することができる。これにより、経験の浅い検査員であっても、実際の検査の予習又は復習をすることができるため、検査に必要なノウハウを定着させることができる。
【００１５】
また、所定の管理者にのみ問題を編集する権限を与えることにより、不用意に問題が変更される等のトラブルを防止できる。
【００１６】
電力会社が指揮監督する土木又は建築工事の検査に関する問題の演習を行うことができるようにすれば、当該電力会社において熟練者から経験の浅い者へのノウハウの伝授をスムーズに行うことができ、電力の安定供給を一層確実に維持することができる。
【発明を実施するための最良の形態】
【００１７】
図１は、実施例の教育支援装置１を用いて構成した検査員教育支援システムを示す。
【００１８】
教育支援装置１は、インターネットやＬＡＮ（Local Area Network）等のネットワークを介してアクセスする利用者に対し、電力会社３ａ，３ｂ，３ｃが指揮監督する土木又は建築工事の検査に関する問題の演習を行わせる教育支援プログラムを格納したコンピュータで構成され、例えば、電力会社（本社）３ａに設置されている。
【００１９】
具体的には、教育支援装置１は、ＬＡＮで構成された社内ネットワークを介して本社３ａにある端末４ａからアクセスする利用者、及びインターネットを介して、支社３ｂの端末４ｂ、電力所３ｃの端末４ｃ並びに検査員の自宅６の端末４ｄからアクセスする利用者に対し、図のように、土木又は建築工事の検査に関する問題を提示する。利用者側では、各端末４ａ，４ｂ，４ｃ，４ｄの画面上でその問題を解いて解答を送信することができる。そして、教育支援装置１は、利用者が送信した解答の正誤及び演習結果も提示する。上記端末４ａ，４ｂ，４ｃ，４ｄは、例えば、コンピュータ本体、モニタ、及び入力装置（キーボード及びマウス）で構成されている。
【００２０】
図２は、本社３ａ内に設置した教育支援装置１の構成を示す。
【００２１】
教育支援装置１は、
本社３ａ内に設置され、通信制御部（例えば、ルータなど）７を介して光ケーブルや電話回線で構成されたインターネット及びＬＡＮケーブル９等の通信媒体で構成された社内ＬＡＮを介して各端末４ａ，４ｂ，４ｃ，４ｄに接続されている。
【００２２】
また、教育支援装置１は、
端末４ａ，４ｂ，４ｃ，４ｄ等の外部にある端末との間で通信を行う通信部１０と、
土木若しくは建築工事の検査に関する問題、正解及び解説その他情報処理に必要な後述のデータを格納するデータ格納部（例えば、ハードディスクなど）１２と、
予め定めた基準に基づいて、前記利用者の認証、及びデータ格納部１２内の問題、正解及び解説のデータを編集する権限を有する管理者の認証を取る認証部１３と、
利用者の認証が取れたとき、利用者からの要求に応じてデータ格納部１２から適宜の問題を抽出し、その問題を利用者側へ送信する問題提示部１５と、
利用者側から送信された解答の正誤を判定し、その判定結果を利用者側へ送信する解答判定部１６と、
問題演習の結果（成績）を求めてデータ格納部１２内に格納するとともに、利用者からの要求に応じて利用者側へ送信する成績管理部１８と、
管理者の認証が取れたとき、当該管理者が編集した問題、正解及び解説等のデータをデータ格納部１２内に登録する問題登録部１９と、
管理者が問題等のデータを編集する際に検査名を入力したとき、この検査名を、電力会社３ａ，３ｂ，３ｃが指揮監督する土木又は建築工事で行われる検査として登録する検査名登録部２１と、
検査名が登録されたとき、登録済みの複数の検査のうち問題演習を希望する検査を利用者に選択させる画面（例えば、ＨＴＭＬ［Hyper Text Markup Language］ファイル）を作成する検査名選択画面作成部２２と、
利用者及び管理者の要求に応じて問題提示部１５等の各手段から送信される情報に基づいて、利用者及び管理者が操作する端末４ａ，４ｂ，４ｃ，４ｄのモニタ画面上に提示する情報を制御する提示画面制御部２４と
を備えている。
【００２３】
ＨＴＭＬは、例えば、インターネットで公開されるホームページ（ＷＥＢページ）の作成に用いられるプログラミング言語である。
【００２４】
提示画面制御部２４は、予めデータ格納部１２内に格納しておいた基本となるＷＥＢページ（HTMLファイル）に、上記問題提示部１５等の各手段から送信される情報を埋め込んで適宜の画面を構成したり、利用者及び管理者側へ送信すべき適宜の情報（HTMLファイルその他の情報など）をデータ格納部１２から抽出して送信する。
【００２５】
次に、管理者による問題等のデータの編集方法について説明する。
【００２６】
管理者が、例えば、本社３ａにある端末４ａを操作して教育支援装置１のデータ格納部１２内にある問題等のデータを編集する場合、まず、ネットワークを介して教育支援装置１へアクセスする。そして、教育支援装置１の提示画面制御部２４は、図３に示すログイン画面２７のＨＴＭＬファイルを端末４ａ側へ送信し、所定のログインＩＤとパスワードの入力を求める。
【００２７】
端末４ａでは、ログイン画面２７内にあるＩＤ入力ボックス２９及びパスワード入力ボックス３０に予め決められた一対のログインＩＤ及びパスワードを入力し、ログインボタン３１を押下（クリック）することにより、ログインＩＤ及びパスワードを表す情報が認証部１３へ送信される。
【００２８】
認証部１３による利用者及び管理者の認証は、予めデータ格納部１２に格納しておいたユーザマスタを参照することに行われる。このユーザマスタは、図４に示すとおり、ログインＩＤとパスワードの組み合わせ、この組み合わせに対応するユーザ名、及び当該ユーザが問題等のデータを編集する権限を有する管理者であるかどうかを示す管理者キーを記録した複数のレコードから成る。レコードとは、ユーザマスタのようなデータベース（ファイル）を構成する単位（図では行）であり、ログインＩＤ、パスワード、ユーザ名、及び管理者キーの各フィールド（列）が集まって１つのレコードが構成されている。
【００２９】
そして、受信したログインＩＤ及びパスワードが所定の組み合わせである場合、アクセスした者を利用者として認証し、利用者の認証が取れない場合、端末４ａ側にアクセスを拒否する旨のメッセージを提示する。また、利用者の認証が取れた場合、更に問題等のデータを編集する権限を有する管理者であることを表す管理者キーがその利用者に対して割り当てられているかどうかを識別する。管理者キーが割り当てられている場合（例えば、管理者キーが「１」の場合）、その利用者を管理者として認証する。
【００３０】
そして、少なくとも利用者の認証が取れた場合、提示画面制御部２４は、図５に示すメニュー画面３３のＨＴＭＬファイルを端末４ａ側へ送信する。
【００３１】
端末４ａのモニタに表示されるメニュー画面３３には、利用者の認証が取れたユーザがクリック可能な演習開始ボタン３５と演習結果閲覧ボタン３６が設けられている。また、水力発電所の工事、火力発電所の工事、及び原子力発電所の工事等の各工事のうち検査の対象を利用者に選択させる検査対象選択ボックス３８が設けられており、検査対象を選択した後に演習開始ボタン３５をクリックすることにより、選択した検査対象（例えば、水力発電所）の工事の検査に関する問題演習を行うことができる。演習開始ボタン３５がクリックされた後の処理については、後述する。
【００３２】
また、メニュー画面３３には、管理者のみアクセスが認められる問題編集を行う後述の画面（図１１）にリンクされた問題登録ボタン４０が設けられており、管理者は、このボタンをクリックすることにより表示される画面の案内に従い、問題等のデータを編集することができる。
【００３３】
更に、メニュー画面３３には、教育支援装置１に現在アクセスしているユーザのユーザ名及び、このユーザが問題演習を行った最新の日付が表示される。これらの情報は、提示画面制御部２４が、図６に示す個別情報テーブルから抽出して提示される。具体的には、個別情報テーブルは、ユーザマスタ（図４）に登録されている各ユーザごとに作成され、予めデータ格納部１２に格納されており、各ユーザが演習を行った日付、各演習における検査対象、検査名、正答数、誤答数、及び正答率を記録した複数のレコードで構成されている。これにより、提示画面制御部２４は、ユーザマスタで識別されたユーザの個別情報テーブルを参照し、最新日付を抽出することができる。
【００３４】
図７は、教育支援装置１において、前記教育支援プログラムに従い、管理者の要求に応じて問題等のデータを登録するデータ登録処理のフローチャートである。
【００３５】
まず、教育支援装置１の認証部１３は、メニュー画面３３の問題登録ボタン４０がクリックされたとき、当該ボタンをクリックした者が管理者の認証が取れているかどうかを判別する（ステップ［以下、ＳＴと表記する］１）。
【００３６】
ＳＴ１の判別が“ＮＯ”の場合、即ち利用者としてのみ認証が取れたユーザがメニュー画面３３の問題登録ボタン４０をクリックした場合には、提示画面制御部２４は、アクセスを拒否する旨のエラーメッセージ（例えば、HTMLファイル）を端末４ａ側へ送信し（ＳＴ２）、一定時間（例えば、３秒間）経過後に再びメニュー画面３３を提示する（ＳＴ３）。
【００３７】
ＳＴ１の判別が“ＹＥＳ”の場合、即ち管理者の認証が取れているユーザが問題登録ボタン４０をクリックした場合には、提示画面制御部２４は、図８に示す検査名登録画面４３のＨＴＭＬファイルをデータ格納部１２から取り出して端末４ａ側へ送信する（ＳＴ４）。
【００３８】
検査名登録画面４３は、
水力発電所の工事、火力発電所の工事、又は原子力発電所の工事等の検査対象を選択し又は新たに入力することができる検査対象リストボックス４５と、
クリックすることにより、検査対象リストボックス４５で選択又は入力した検査対象を特定するＯＫボタン４６と、
検査対象リストボックス４５で検査対象を選択した場合、これに関する検査名が自動的にリストアップされ、検査対象を新たに入力した場合、当該検査対象に関する検査名を入力することができる複数（図示の例では１３個）の検査名入力ボックス４７と、
検査名入力ボックス４７にリストアップされた検査名を修正し又は新たに検査名を入力した後にクリックすることにより、検査名の編集内容を登録する検査名登録ボタン４８と、
登録済みの検査に関する問題等のデータを編集する画面（HTMLファイル）にリンクされており、クリックすることにより該当する画面を提示させることができる問題編集ボタン５０と、
メニュー画面（図５）にリンクされている登録終了ボタン５２と
で構成されている。
【００３９】
そして、検査名登録画面４３上の検査対象リストボックス４５内において、検査対象が選択され又は検査対象が新たに入力された場合、提示画面制御部２４は、検査対象が選択された場合と入力された場合のどちらであるかを識別し（ＳＴ５）、識別した場合に対応する次の処理を行う。
【００４０】
［検査対象が選択された場合］
ＯＫボタン４６がクリックされることにより、検査対象リストボックス４５内の検査対象が１つ（例えば、水力発電所を）選択された場合、提示画面制御部２４は、図９に示す問題マスタを参照し、選択された検査対象の工事に関して登録されている検査名を抽出し、図８のように検査名入力ボックス４７内に提示する（ＳＴ６）。具体的には、問題マスタは、問題ごとに割り当てられた問題コード、検査対象、検査名、問題、正解、及び解説を記録した複数のレコードから成り、例えば、管理者が検査対象として水力発電所を選択した場合、提示画面制御部２４は、これに関連する全ての検査名を抽出して検査名入力ボックス４７内に１つずつリストアップする。管理者は、検査対象入力ボックス４７内にリストアップされた検査名を修正し又は新たな検査名を別途入力することができる。
【００４１】
［検査対象が新たに入力された場合］
検査対象リストボックス４５内に検査対象が新たに入力された場合、上記ＳＴ６の処理は省略され、後述のＳＴ７の処理へ移る。
【００４２】
そして、検査対象リストボックス４５内に検査対象が新たに入力された場合、又はＳＴ６の後、提示画面制御部２４は、検査名登録ボタン４８、問題編集ボタン５０、又は登録終了ボタン５２のうちクリックされたボタンの種類を識別し（ＳＴ７）、識別したボタンの種類に対応する処理を行う。具体的には、以下の処理を行う。
【００４３】
［登録終了ボタン５２がクリックされた場合］
管理者によって端末４ａを操作して登録終了ボタン５２をクリックされた場合、提示画面制御部２４は、メニュー画面３３のＨＴＭＬファイルを端末４ａ側へ送信する（ＳＴ３）。
【００４４】
［検査名登録ボタン４８がクリックされた場合］
管理者によって検査名登録ボタン４８がクリックされた場合、検査名登録部２１は、検査対象リストボックス４５内の検査対象及び検査名入力ボックス４７内の検査名を問題マスタ（図９）に登録する（ＳＴ８）。具体的には、管理者が検査対象リストボックス４５内に検査対象（例えば、水力発電所）を新たに入力し、これに関連する検査名を検査名入力ボックス４７に入力し、検査名登録ボタン４８をクリックした場合、又は管理者が検査対象或いは検査名を編集した場合、検査名登録部２１は、当該検査対象及びこれに関連する検査名にそれぞれ問題コードを付し、図９に示すように問題マスタへ登録する。更に詳細には、この場合、各検査について登録される問題数が不明であるため、各検査に関するレコードを１つずつ登録するのがよい。問題コードは、検査対象、検査名、及び問題を区別できるように、例えば、水力発電所の工事における切取完了時検査に関する最初の問題には、「ｂ０１０００１」を付与し、当該検査に関する２つ目の問題には「ｂ０１０００２」を付与するのがよい。
【００４５】
ＳＴ８の後、検査名選択画面作成部２２は、登録された検査対象及び検査名に基づいて、図１０に示す検査名選択画面（HTMLファイル）５５を作成する（ＳＴ９）。検査名選択画面５５は、複数の検査のうち問題演習を希望する検査を利用者に選択させるための画面であり、検査名登録画面４３の検査名入力ボックス４７内に入力された検査名を上から順に並べて配置され、当該検査対象における工事着工から竣工までの検査工程が表されている。この画面は、各検査名をクリックしたとき、当該検査に関連する問題演習を行う画面を表示できるように構成（例えば、ハイパーテキストで作成）されている。
【００４６】
［問題編集ボタン５０がクリックされた場合］
検査名登録画面４３上でいずれかの検査に関する問題編集ボタン５０がクリックされた場合、提示画面制御部２４は、その検査名が既に登録されているかどうかを判別する（ＳＴ１０）。
【００４７】
ＳＴ１０の判別が“ＮＯ”、即ち編集対象の問題に関する検査名が未登録の場合、当該検査に関する問題を編集することができないため、提示画面制御部２４は、当該検査に関する問題を編集することができる後述の画面を提示せず、再びＳＴ７へ移る。
【００４８】
一方、ＳＴ１０の判別が“ＹＥＳ”、即ち編集対象の問題に関する検査名（例えば、ダム湛水検査）がＳＴ８において登録済みの場合、提示画面制御部２４は、クリックされた問題編集ボタン５０に基づいて検査名を特定し、図１１に示す当該検査に関する問題を編集することができる問題登録画面５８のＨＴＭＬファイルをデータ格納部１２から取り出して端末４ａ側へ送信する（ＳＴ１１）。
【００４９】
問題登録画面５８には、特定した検査（図示の例ではダム湛水検査）について問題マスタ（図９）内に登録済みの問題コード、検査対象、検査名（この場合、ダム湛水検査）、問題、正解、及び解説から成る情報が提示される。具体的には、提示画面制御部２４は、ＳＴ８において新たな検査対象及び検査名を登録した場合、前述のとおり、各検査に関するレコードを１つずつ登録するため、問題登録画面５８上には、図示のとおり１つの問題に関する情報のみが提示される。
【００５０】
また、問題登録画面５８には、問題、正解及び解説のデータを管理者に入力させるため、問題入力ボックス６０、正解選択ボックス６１、及び解説入力ボックス６２が設けられており、管理者が端末４ａを操作して問題、正解、及び解説を入力することができるようになっている。尚、問題、正解、及び解説のデータは、本社３ａ（図１）が管理する検査要領等の資料を参考にすることができる。
【００５１】
更に、問題登録画面５８には、
２問目以降の問題を入力する際に必要となる新たな問題入力ボックス６０、正解選択ボックス６１、及び解説入力ボックス６２を追加することができる入力欄追加ボタン６５と、
入力した情報を登録するための編集完了ボタン６６が設けられている。
【００５２】
そして、提示画面制御部２４は、入力欄追加ボタン６５と編集完了ボタン６６のうち管理者がクリックしたボタンを識別し（ＳＴ１２）、クリックされたボタンに応じて次のいずれかの処理を行う。
【００５３】
［入力欄追加ボタン６５がクリックされた場合］
管理者が端末４ａを操作し、２以上の問題に関するデータを入力するため、入力欄追加ボタン６５をクリックした場合、提示画面制御部２４は、問題登録画面５８上に問題入力ボックス６０、正解選択ボックス６１、及び解説入力ボックス６２を一行分追加表示させる（ＳＴ１３）。これにより、管理者は、問題入力ボックス６０、正解選択ボックス６１、及び解説入力ボックス６２を図１２のように必要に応じて追加表示させてデータを入力することができる。
【００５４】
［編集完了ボタン６６がクリックされた場合］
管理者が端末４ａを操作して編集完了ボタン６６をクリックした場合、提示画面制御部２４は、問題入力ボックス６０、正解選択ボックス６１、及び解説入力ボックス６２に入力されたデータを問題登録部１９へ送り、問題登録部１９はこれらのデータを問題マスタ（図９）に登録する（ＳＴ１４）。この後、提示画面制御部２４は、検査名登録画面のＨＴＭＬファイルをデータ格納部１２から取り出し、端末４ａ側へ送信する（ＳＴ４）。
【００５５】
次に、利用者が問題演習を行う方法について説明する。
【００５６】
図１３は、教育支援装置１内で動作する教育支援プログラムが、利用者の要求に応じて問題の提示、解答の判定、及び解説の提示等を行う問題演習処理のフローチャートである。
【００５７】
まず、問題演習を希望する者が、例えば、電力会社（支社）３ｂにある端末４ｂを操作し、前述の管理者の場合と同様に、ログイン画面２７にて所定のログインＩＤとパスワードを入力して教育支援装置１へアクセスする。提示画面制御部２４は、受信したログインＩＤ及びパスワードが所定の組み合わせである場合、アクセスした者を利用者として認証し、管理者キーの割り当ての有無を判別し、メニュー画面３３（図５）のＨＴＭＬファイルを端末４ｂ側へ送信する。
【００５８】
そして、利用者が、メニュー画面３３にある検査対象選択ボックス３８において、登録済みの検査対象のうち演習を希望する問題に関するもの（例えば、水力発電所）を選択し、演習開始ボタン３５をクリックすると、提示画面制御部２４は、選択された検査対象に関する検査名選択画面５５（図１０）のＨＴＭＬファイルを端末４ｂ側へ送信する（ＳＴ２１）。
【００５９】
利用者が、端末４ｂのモニタ上に提示された検査名選択画面５５において、演習を希望する検査名をクリックすると、問題提示部１５は、選択された検査に関する問題を問題マスタ（図９）から１つ抽出して提示画面制御部２４へ送り、これを受けた提示画面制御部２４は、図１４に示す問題を提示する出題画面６８のＨＴＭＬファイルと併せて端末４ｂ側へ送信する（ＳＴ２２）。実施例では、問題提示部１５は、問題マスタ内に登録されている複数の問題の中から問題コードの順番で一問ずつ抽出する。
【００６０】
提示画面制御部２４は、出題画面６８上に問題を提示した後、利用者が「○」，「×」，又は「わからない」のいずれかの解答ボタン７０をクリックするまで待機し（ＳＴ２３）、利用者の端末４ｂ側から受信した解答のデータを解答判定部１６へ送り、解答判定部１６がその解答の正誤を判定する（ＳＴ２４）。解答判定部１６は、利用者の端末４ｂ側から受けた解答の内容と問題マスタ（図９）内の正解を比較することにより、解答の正誤を判定することができる。解答判定部１６は、解答の判定結果を提示画面制御部２４へ送るとともに、成績管理部１８へ送る。成績管理部１８は、その結果を受信してデータ格納部１２内にある個別情報テーブル（図６）に記録する（ＳＴ２５）。実施例では、個別情報テーブルは、任意の検査に関する問題演習が開始されたとき、１つのレコードが作成され、ＳＴ２５の判定結果に基づいて更新されるようになっている。
【００６１】
提示画面制御部２４は、解答判定部１６から判定結果を受信すると、当該問題に関する解説文を問題マスタ（図９）から抽出し、判定結果及び解説を、図１５に示す判定結果及び解説を提示する解説画面７２のＨＴＭＬファイルと併せて端末４ｂ側へ送信する（ＳＴ２６）。
【００６２】
解説画面７２には、利用者の解答の判定結果と当該問題の解説が表示されるとともに、次の問題の提示を要求する出題要求ボタン７４と、演習の成績の提示を要求する成績表示ボタン７５が設けられている。
【００６３】
提示画面制御部２４は、利用者がクリックしたボタンが出題要求ボタン７４と成績表示ボタン７５のどちらであるかを識別し（ＳＴ２７）、識別したボタンの種類に対応する次の処理を行う。
【００６４】
［出題要求ボタン７４がクリックされた場合］
利用者が出題要求ボタン７４をクリックした場合、提示画面制御部２４は、次の問題を問題マスタから抽出し、出題画面のＨＴＭＬファイルと併せて端末４ｂ側へ送信する（ＳＴ２２）。
【００６５】
［成績表示ボタン７５がクリックされた場合］
利用者が成績表示ボタン７５をクリックした場合、提示画面制御部２４は、個別情報テーブル（図６）から今回の演習結果を抽出し、図１６に示す演習結果を提示する成績表示画面７７のＨＴＭＬファイルと併せて端末４ｂ側へ送信する（ＳＴ２８）。
【００６６】
提示画面制御部２４は、成績表示画面７７上にある演習終了ボタン７９を利用者がクリックするまで待機し（ＳＴ２９）、この演習終了ボタン７９がクリックされた場合、演習を終了し、メニュー画面３３（図５）のＨＴＭＬファイルをデータ格納部１２から抽出して端末４ｂ側へ送信する（ＳＴ３０）。
【００６７】
上記のとおり、利用者の認証がとれた者は、ネットワークを介して教育支援装置１へアクセスし、電力会社３ａ，３ｂ，３ｃが指揮監督する土木又は建築工事の検査に関する問題の演習を行うことができる。
【００６８】
また、利用者は、メニュー画面３３において、問題演習を選択するだけでなく、演習結果閲覧ボタン３６をクリックすることにより、これまでの演習結果を閲覧することもできる。演習結果の提示方法としては、例えば、演習結果閲覧ボタン３６がクリックされた場合、提示画面制御部２４が、当該利用者に関する個別情報テーブル（図６）を参照し、これに含まれるデータに基づいて正答率をグラフ表示し又は個別情報テーブルのうち正答数，誤答数，正答率のデータを含む部分をそのまま表示するなど、適宜の方法で演習結果を提示することができる。更に、他の利用者の演習結果（例えば、正答率）と比較したグラフや順位を表示することもできる。
【００６９】
以上、実施例の教育支援装置及び教育支援プログラムについて説明したが、問題又は解説を画像や動画と共に提示することにより、利用者に対して当該検査に必要なノウハウを格段にわかり易く教示することができる。具体的には、問題マスタ（図９）を構成するレコード内に、問題又は解説に必要な画像又は動画が格納されている場所を記載しておき、当該レコードが参照されたとき、問題提示部１５又は提示画面制御部２４は、その場所から画像又は動画を取り出して提示することができる。
【図面の簡単な説明】
【００７０】
【図１】実施例の教育支援装置を用いて構成した検査員教育支援システムを示す図。
【図２】本社内に設置した教育支援装置の機能ブロック図。
【図３】ログイン画面を示す図。
【図４】ログインＩＤ及びパスワードの組み合わせ、この組み合わせに対応するユーザ名、及び当該ユーザが問題等のデータを編集する権限を有する管理者であるかどうかを示す管理者キーで構成されたユーザマスタ。
【図５】利用者の認証が取れたユーザが操作する端末上に表示されるメニュー画面を示す図。
【図６】演習を行った日付、各演習における検査対象、検査名、正答数、誤答数、及び正答率が記録され、各ユーザごとに作成された個別情報テーブル。
【図７】教育支援装置内で動作する教育支援プログラムが、管理者の要求に応じて問題等のデータを登録するデータ登録処理のフローチャート。
【図８】利用者の端末に表示される検査名登録画面を示す図。
【図９】問題ごとに割り当てられた問題コード、検査対象、検査名、問題、正解、及び解説を記録した複数のレコードから成る問題マスタ。
【図１０】問題演習を希望する検査を利用者に選択させるため、利用者が操作する端末に表示される検査名選択画面を示す図。
【図１１】１つの検査に関する問題を編集することができる問題登録画面を示す図。
【図１２】問題登録画面に表示された複数の問題入力ボックス、正解選択ボックス、及び解説入力ボックスにデータ入力した状態を示す図。
【図１３】教育支援プログラムが、利用者の要求に応じて問題の提示、解答の判定、及び解説の提示等を行う問題演習処理のフローチャート。
【図１４】利用者が選択した検査に関する問題演習を行うための演習画面を示す図。
【図１５】解答の判定結果及び解説を提示する解説画面を示す図。
【図１６】演習結果を提示する成績表示画面を示す図。
【符号の説明】
【００７１】
１…教育支援装置、３ａ，３ｂ，３ｃ…電力会社、４ａ，４ｂ，４ｃ，４ｄ…端末、６…自宅、７…通信制御部、９…ＬＡＮケーブル、１０…通信部、１２…データ格納部、１３…認証部、１５…問題提示部、１６…解答判定部、１８…成績管理部、１９…問題登録部、２１…検査名登録部、２２…検査名選択画面作成部、２４…提示画面制御部、２７…ログイン画面、２９…ＩＤ入力ボックス、３０…パスワード入力ボックス、３１…ログインボタン、３３…メニュー画面、３５…演習開始ボタン、３６…演習結果閲覧ボタン、３８…検査対象選択ボックス、４０…問題登録ボタン、４３…検査名登録画面、４５…検査対象リストボックス、４６…ＯＫボタン、４７…検査名入力ボックス、４８…検査名登録ボタン、５０…問題編集ボタン、５２…登録終了ボタン、５５…検査名選択画面、５８…問題登録画面、６０…問題入力ボックス、６１…正解選択ボックス、６２…解説入力ボックス、６５…入力欄追加ボタン、６６…編集完了ボタン、６８…出題画面、７０…解答ボタン、７２…解説画面、７４…出題要求ボタン、７５…成績表示ボタン、７７…成績表示画面、７９…演習終了ボタン
【図１】
2006227463.tif 000003
【図２】
2006227463.tif 000004
【図３】
2006227463.tif 000005
【図４】
2006227463.tif 000006
【図５】
2006227463.tif 000007
【図６】
2006227463.tif 000008
【図７】
2006227463.tif 000009
【図８】
2006227463.tif 000010
【図９】
2006227463.tif 000011
【図１０】
2006227463.tif 000012
【図１１】
2006227463.tif 000013
【図１２】
2006227463.tif 000014
【図１３】
2006227463.tif 000015
【図１４】
2006227463.tif 000016
【図１５】
2006227463.tif 000017
【図１６】
2006227463.tif 000018